(57)【要約】      （修正有）【課題】超音波流量計の配管に施されるダンピング材の移動を抑制して、ＳＮ比が低下しないようにした超音波流量計を提供する。【解決手段】内部を気体が流れる配管Ａの外周に設けられた、第１の超音波送受信部２０Ａから送信された超音波が第２の超音波送受信部２０Ｂに受信されるまでの時間と、第２の超音波送受信部２０Ｂから送信された超音波が第１の超音波送受信部２０Ａに受信されるまでの時間とに基づいて気体の流量を測定する本体部と、配管の外周に設けられ、超音波が配管を伝搬する配管伝搬波を吸収する超音波吸収体１０と、を備え、超音波吸収体は配管の外周に形成される第１のゴム層１０Ａと第１のゴム層上に形成される第２のゴム層１０Ｂとを含み、第１のゴム層は材質が第２のゴム層よりも柔らかく、第２のゴム層は材質が第１のゴム層よりも固くかつ第１のゴム層を一周する。【選択図】図１２
2015021799.tif 000002
【特許請求の範囲】
【請求項１】
内部を気体が流れる配管における上流側の外周に設けられ、超音波の送信および受信を行う第１の超音波送受信部と、
前記配管における下流側の外周に設けられ、超音波の送信および受信を行う第２の超音波送受信部と、
前記第１の超音波送受信部から送信された前記超音波が前記第２の超音波送受信部に受信されるまでの時間と、前記第２の超音波送受信部から送信された前記超音波が前記第１の超音波送受信部に受信されるまでの時間とに基づいて、前記気体の流量を測定する本体部と、
前記配管の外周に設けられ、前記超音波が前記配管を伝搬する配管伝搬波を吸収する超音波吸収体と、を備え、
前記超音波吸収体は前記配管の外周に形成される第１のゴム層と前記第１のゴム層上に形成される第２のゴム層とを含み、
前記第１のゴム層は粘弾性が前記第２のゴム層の粘弾性よりも大きく、前記第２のゴム層は前記第１のゴム層よりも小さい粘弾性で前記第１のゴム層を一周する、超音波流量計。
【請求項２】
前記第１及び第２のゴム層は音響インピーダンスが等しくなるようにゴム層中の粒子が調整される請求項１に記載の超音波流量計。
【請求項３】
前記第１のゴム層に含まれる粒子の総重量と前記第２のゴム層に含まれる粒子の総重量とが同じになるように調整することによって前記第１及び第２のゴム層の音響インピーダンスが等しくなるようにゴム層が調整される請求項２に記載の超音波流量計。
【請求項４】
前記粒子は、タングステン、フェライト、硫酸バリウムのうちのいずれかを含む、請求項２又は３に記載の超音波流量計。
【請求項５】
内部を気体が流れる配管における上流側の外周から送信された超音波が前記配管における下流側の外周で受信されるまでの時間と、前記配管における下流側の外周から送信された超音波が前記配管における上流側の外周で受信されるまでの時間とに基づいて、前記気体の流量を測定する超音波流量計用の超音波吸収体であって、
前記配管の外周に形成される第１のゴム層と前記第１のゴム層上に形成される第２のゴム層とを含み、
前記第１のゴム層は粘弾性が前記第２のゴム層の粘弾性よりも大きく、前記第２のゴム層は前記第１のゴム層よりも小さい粘弾性で前記第１のゴム層を一周する、超音波流量計用の超音波吸収体。
【請求項６】
前記第１のゴム層に含まれる粒子の総重量と前記第２のゴム層に含まれる粒子の総重量とを調整することによって前記第１及び第２のゴム層の音響インピーダンスが等しくなるように調整される請求項５に記載の超音波流量計用の超音波吸収体。
【発明の詳細な説明】
【技術分野】
【０００１】
本発明は超音波流量計に関し、特に、配管を流れる流体の流量を計測する超音波流量計に関する。
【背景技術】
【０００２】
この種の超音波流量計として配管の上流側の外周と配管の下流側の外周にそれぞれ超音波送受信器を設置し、流体の流れ方向及び逆方向に超音波を伝搬させたときの２つの伝搬時間を計測し、これら伝搬時間に基づいて流体の流速を計算するものが知られている。この種の流量計では、送信器から発せられた超音波は流体中を伝搬して受信器に到達する流体伝搬波と、配管壁を伝搬して受信器に伝搬する配管伝搬波として受信器に到達する。流体伝搬波は計測に必要な信号成分であり、配管伝搬波は信号成分に重畳するノイズ成分である。
【０００３】
このノイズ成分を減衰させるために２つの超音波送受信器間の配管の外壁に配管伝搬波のエネルギーを減衰させるダンピング材（超音波吸収体）を円筒状に形成してＳＮ比(信号対ノイズ比)の向上を図っている。例えば、特許文献１には配管にダンピング材を設けた超音波流量計の例が開示されている。
【先行技術文献】
【特許文献】
【０００４】
【特許文献１】米国特許６６２６０４９号公報
【発明の概要】
【発明が解決しようとする課題】
【０００５】
上記配管伝搬波のエネルギーをより減衰させるにはダンピング材の材質を選択し、ダンピング材の膜厚を増すと良い。ダンピング材により配管伝搬波のエネルギーの吸収量が増えると計測におけるＳＮ比が向上する。例えば、流体の圧力が低い場合には流体伝搬波の信号エネルギーが減少してＳＮ比が低下するが、ダンピング材を厚く形成することで配管伝搬波のエネルギーを減少してＳＮ比の低下を抑制することが可能である。
【０００６】
このような、ダンピング材の主材料はゴムであることが多い。ゴムを主材料とする柔らかいダンピング材を配管の外壁に厚く形成すると、長期の時間経過に伴ってダンピング材の自重によってダンピング材が移動し厚みに不均一な部位が発生し得る。ダンピング材が音響インピーダンスを調整するための粒子を含む場合には更に自重が増し、この厚みが変化する傾向は増大する。配管表面を覆うダンピング材の厚みが不均一になるとダンピング性能が阻害され、超音波流量計のＳＮ比が低下する。
【０００７】
よって、本発明は超音波流量計の配管に施されるダンピング材の移動を抑制して、ＳＮ比が低下しないようにした超音波流量計を提供することを目的とする。また、超音波流量計に好適なダンピング材を提供することを目的とする。
【課題を解決するための手段】
【０００８】
上記課題を達成するため本発明の超音波流量計の一態様は、内部を気体が流れる配管における上流側の外周に設けられ、超音波の送信および受信を行う第１の超音波送受信部と、上記配管における下流側の外周に設けられ、超音波の送信および受信を行う第２の超音波送受信部と、上記第１の超音波送受信部から送信された上記超音波が上記第２の超音波送受信部に受信されるまでの時間と、上記第２の超音波送受信部から送信された上記超音波が上記第１の超音波送受信部に受信されるまでの時間とに基づいて、上記気体の流量を測定する本体部と、上記配管の外周に設けられ、上記超音波が上記配管を伝搬する配管伝搬波を吸収する超音波吸収体と、を備え、上記超音波吸収体は上記配管の外周に形成される第１のゴム層と上記第１のゴム層上に形成される第２のゴム層とを含み、上記第１のゴム層は粘弾性が上記第２のゴム層の粘弾性よりも大きく（柔らかい）、上記第２のゴム層は上記第１のゴム層よりも小さい粘弾性（固い）で上記第１のゴム層を一周する。
【０００９】
かかる構成とすることによって、超音波吸収体の相対的に柔らかい第１のゴム層で配管伝搬波が吸収され、相対的に固い第２のゴム層で超音波吸収体の変形が防止される。
【００１０】
上記第１及び第２のゴム層は音響インピーダンスが等しくなるようにゴム層中の粒子が調整されることが望ましい。２つのゴム層の音響インピーダンスを等しくすることによってゴム層界面において配管伝搬波の反射が発生することが防止され、配管伝搬波が第１のゴム層及び第２のゴム層に拡散し、配管伝搬波のエネルギーが吸収される。この調整は、例えば、上記第１及び第２のゴム層の各層に含まれる粒子の総重量が等しくなるようにする。粒子は金属粒子（タングステン、フェライト、硫酸バリウム等）を使用することが可能である。
【００１１】
また、本発明の他の態様は、内部を気体が流れる配管における上流側の外周から送信された超音波が上記配管における下流側の外周で受信されるまでの時間と、上記配管における下流側の外周から送信された超音波が上記配管における上流側の外周で受信されるまでの時間とに基づいて、上記気体の流量を測定する超音波流量計用の超音波吸収体であって、上記配管の外周に形成される第１のゴム層と上記第１のゴム層上に形成される第２のゴム層とを含み、上記第１のゴム層は粘弾性が上記第２のゴム層の粘弾性よりも大きく（柔らかい）、上記第２のゴム層は上記第１のゴム層よりも小さい粘弾性（固い）で上記第１のゴム層を一周する。
【００１２】
かかる構成とすることによって、柔らかい第１のゴム層の外周を固い第２のゴム層で把持する構成として第１のゴム層の変形を防止することが可能となる。
【００１３】
望ましくは、上記第１のゴム層に含まれる粒子の総重量と上記第２のゴム層に含まれる粒子の総重量とを調整することによって上記第１及び第２のゴム層の音響インピーダンスが等しくなるように調整される。それにより、配管伝搬波が第１及び第２のゴム層中に拡散してノイズ成分のエネルギーを減衰させる。
【発明の効果】
【００１４】
本発明によれば、配管を被覆する超音波吸収体（ダンピング材)の経時的な変形が抑制されるので配管伝搬波に対する超音波吸収体のダンピング性能の低下が抑制される。配管を被覆する超音波吸収体の変形が少ないために超音波流量計におけるＳＮ比の経時的低下が防止される。
【図面の簡単な説明】
【００１５】
【図１】本発明に使用される超音波流量計を説明する説明図である。
【図２】超音波流量計の超音波送受信部を説明する説明図である。
【図３】超音波流量計の動作原理を説明する説明図である。
【図４】超音波流量計における超音波信号と配管伝搬波を説明する説明図である。
【図５】超音波流量計における受信信号の例を説明する説明図である。
【図６】超音波流量計における受信信号の例を説明する説明図である。
【図７】超音波流量計における受信信号の例(ＳＮ比が低い場合)を説明する説明図である。
【図８】超音波吸収体の例を説明する説明図である。
【図９】音響インピーダンスを調整するために超音波吸収体に混入する粒子の例を説明する説明図である。
【図１０】超音波吸収体の粘弾性(針入度)とＳＮ比の関係を説明するグラフである。
【図１１】超音波吸収体の変形を説明する説明図である。
【図１２】超音波吸収体を柔らかさの異なる複数の層で形成する例を説明する説明図である。
【図１３】超音波吸収体を柔らかさの異なる複数の層で形成する他の例を説明する説明図である。
【発明を実施するための形態】
【００１６】
以下に本発明の実施の形態を説明する。以下の図面の記載において、同一または類似の部分には同一または類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。なお、以下の説明において、図面の上側を「上」、下側を「下」、左側を「左」、右側を「右」という。
【００１７】
図１ないし図１３は、本発明に係る超音波流量計および超音波流量計用の超音波吸収体の一実施形態を示すためのものである。図１は、超音波流量計１００の概略構成の一例を示す構成図である。図１に示すように、超音波流量計１００は、配管Ａの内部を流れる気体（ガス）の流量を測定するためのものである。超音波流量計１００の測定対象である気体は、図１において白抜き矢印で示す方向（図１における左から右の方向）に流れている。超音波流量計１００は、第１超音波送受信部２０Ａと、第２超音波送受信部２０Ｂと、本体部５０と、超音波吸収体１０と、を備える。
【００１８】
第１超音波送受信部２０Ａおよび第２超音波送受信部２０Ｂは、それぞれ配管Ａの外周に設けられる。図１に示す例では、第１超音波送受信部２０Ａが配管Ａにおける上流側に、第２超音波送受信部２０Ｂは配管Ａにおける下流側に、それぞれ配置される。第１超音波送受信部２０Ａおよび第２超音波送受信部２０Ｂは、それぞれ超音波の送信および受信を行い、相互に超音波を送受信する。すなわち、第１超音波送受信部２０Ａが送信した超音波は、第２超音波送受信部２０Ｂによって受信され、第２超音波送受信部２０Ｂが送信した超音波は、第１超音波送受信部２０Ａによって受信される。
【００１９】
図２は、図１に示した第１超音波送受信部２０Ａの構成を説明する拡大断面図である。図２に示すように、第１超音波送受信部２０Ａは、くさび２１と、圧電素子２２と、を備える。
【００２０】
くさび２１は、配管Ａの外周面に対して所定の角度で超音波を入射させるためのものであり、樹脂製または金属製の部材である。くさび２１は、底面２１ａが配管Ａの外周面に接触するように設置される。また、くさび２１は、底面２１ａに対して所定の角度を有する斜面２１ｂが形成されている。斜面２１ｂには、圧電素子２２が設置される。
【００２１】
本実施形態では、底面２１ａが配管Ａの外周面に接触する例を示したが、これに限定されない。底面２１ａと配管Ａの外周面との間に接触媒質（カプラント）を介在させてもよい。
【００２２】
圧電素子２２は、超音波を送信するとともに、超音波を受信するためのものである。圧電素子２２には、リード線（図示省略）が電気的に接続されている。リード線を介して所定周波数の電気信号が印加されと、圧電素子２２は、当該所定周波数で振動して超音波を発する。これにより、超音波が送信される。図２において破線の矢印で示すように、圧電素子２２から送信された超音波は、斜面２１ｂの角度でくさび２１を伝搬する。くさび２１を伝搬する超音波は、くさび２１と配管Ａの外壁との界面で屈折して入射角が変化し、配管Ａの内壁と配管Ａの内部を流れる気体との界面でさらに屈折して入射角が変化し、当該気体を伝搬する。界面おける屈折は、スネルの法則に従うので、配管Ａを伝搬するときの超音波の速度、気体を伝搬するときの超音波の速度に基づいて、斜面２１ｂの角度をあらかじめ設定することにより、超音波を所望の入射角で気体に入射させ、伝搬させることができる。
【００２３】
一方、圧電素子２２に超音波が到達すると、圧電素子２２は、当該超音波の周波数で振動して電気信号を発生させる。これにより、超音波が受信される。圧電素子２２に発生した電気信号は、リード線を介して後述する本体部５０で検出される。
【００２４】
なお、第２超音波送受信部２０Ｂは、第１超音波送受信部２０Ａと同様の構成を備える。すなわち、第２超音波送受信部２０Ｂも、くさび２１と、圧電素子２２と、を備える。よって、前述した第１超音波送受信部２０Ａの説明をもって、第２超音波送受信部２０Ｂの詳細な説明を省略する。
【００２５】
図１に示す本体部５０は、超音波が配管Ａの内部を流れる気体を伝搬する時間に基づいて当該気体の流量を測定するためのものである。本体部５０は、概略、切替部５１と、送信回路部５２と、受信回路部５３と、計時部５４と、演算制御部５５と、入出力部５６と、を備える。
【００２６】
切替部５１は、超音波の送信および受信を切り替えるためのものである。切替部５１は、第１超音波送受信部２０Ａおよび第２超音波送受信部２０Ｂに接続されている。切替部５１は、例えば、切替スイッチなどを含んで構成することが可能である。切替部５１は、演算制御部５５から入力される制御信号に基づいて切替スイッチを切り替え、第１超音波送受信部２０Ａおよび第２超音波送受信部２０Ｂのうちの一方を送信回路部５２に接続させるとともに、第１超音波送受信部２０Ａおよび第２超音波送受信部２０Ｂのうちの他方を受信回路部５３と接続させる。これにより、第１超音波送受信部２０Ａおよび第２超音波送受信部２０Ｂのうちの一方が超音波を送信し、第１超音波送受信部２０Ａおよび第２超音波送受信部２０Ｂのうちの他方が当該超音波を受信することができる。
【００２７】
送信回路部５２は、第１超音波送受信部２０Ａおよび第２超音波送受信部２０Ｂに超音波を送信させるためのものである。送信回路部５２は、例えば、所定周波数の矩形波を生成する発振回路、第１超音波送受信部２０Ａおよび第２超音波送受信部２０Ｂを駆動する駆動回路などを含んで構成することが可能である。送信回路部５２は、演算制御部５５から入力される制御信号に基づいて、駆動回路が発振回路により生成された矩形波を駆動信号として第１超音波送受信部２０Ａおよび第２超音波送受信部２０Ｂのうちの一方の圧電素子２２に出力する。これにより、第１超音波送受信部２０Ａおよび第２超音波送受信部２０Ｂの一方の圧電素子２２が駆動され、当該圧電素子２２が超音波を送信する。
【００２８】
受信回路部５３は、第１超音波送受信部２０Ａおよび第２超音波送受信部２０Ｂが受信した超音波を検出するためのものである。受信回路部５３は、例えば、信号を所定の利得（ゲイン）で増幅する増幅回路、所定周波数の電気信号を取り出すためのフィルタ回路などを含んで構成することが可能である。受信回路部５３は、演算制御部５５から入力される制御信号に基づいて、第１超音波送受信部２０Ａおよび第２超音波送受信部２０Ｂのうちの一方の圧電素子２２から出力された電気信号を増幅し、フィルタリングして受信信号に変換する。受信回路部５３は、変換した受信信号を演算制御部５５に出力する。
【００２９】
計時部５４は、所定の期間における時間を計測するためのものである。計時部５４は、例えば、発振回路などで構成することが可能である。なお、発振回路は、送信回路部５２と共有するようにしてもよい。計時部５４は、演算制御部５５から入力されるスタート信号およびストップ信号に基づいて、発振回路の基準波の数をカウントして時間を計測する。計時部５４は、計測した時間を演算制御部５５に出力する。
【００３０】
演算制御部５５は、配管Ａの内部を流れる気体の流量を演算により算出するためのものである。演算制御部５５は、例えば、ＣＰＵ、ＲＯＭやＲＡＭなどのメモリ、入出力インターフェースなどで構成することが可能である。また、演算制御部５５は、切替部５１、送信回路部５２、受信回路部５３、計時部５４、および、入出力部５６などの本体部５０の各部を制御する。なお、演算制御部５５が気体の流量を算出する方法については、後述する。
【００３１】
入出力部５６は、ユーザ（利用者）が情報を入力し、かつ、ユーザに対して情報を出力するためのものである。入出力部５６は、例えば、操作ボタンなどの入力手段、表示ディスプレイなどの出力手段などで構成することが可能である。ユーザが操作ボタンなどを操作することにより、設定などの各種の情報が入出力部５６を介して演算制御部５５に入力される。また、入出力部５６は、演算制御部５５により算出された気体の流量、気体の速度、所定期間における積算流量などの情報を、表示ディスプレイなどに表示して出力する。
【００３２】
図３は、配管Ａの内部を流れる気体の流量の算出方法を説明するための側方断面図である。図３に示すように、配管Ａの内部を所定の方向（図３において左側から右側への方向）に流れる気体の速度（以下、流速という）をＶ［ｍ／ｓ］、当該気体中を超音波が伝搬するときの速度（以下、音速という）をＣ［ｍ／ｓ］とし、当該気体を伝搬する超音波の伝搬経路長をＬ［ｍ］とし、配管Ａの管軸と超音波の伝搬経路とのなす角度をθとする。
ここで、配管Ａの上流側（図３において左側）に設置された第１超音波送受信部２０Ａが超音波を送信し、配管Ａの下流側（図３において右側）に設置された第２超音波送受信部２０Ｂが当該超音波を受信するときに、当該超音波が配管Ａの内部の気体を伝搬する伝搬時間ｔ12は、以下の式（１）で表される。
ｔ12＝Ｌ／（Ｃ＋Ｖｃｏｓθ）  …（１）
【００３３】
一方、配管Ａの下流側に設置された第２超音波送受信部２０Ｂが超音波を送信し、配管Ａの上流側に設置された第１超音波送受信部２０Ａが当該超音波を受信するときに、当該超音波が配管Ａの内部の気体を伝搬する伝搬時間ｔ21は、以下の式（２）で表される。
ｔ21＝Ｌ／（Ｃ−Ｖｃｏｓθ）  …（２）
【００３４】
式（１）および式（２）から、気体の流速Ｖは、以下の式（３）で表される。
Ｖ＝（Ｌ／２ｃｏｓθ）・｛（１／ｔ12）−（１／ｔ21）｝  …（３）
【００３５】
式（３）において、伝搬経路長Ｌおよび角度θは、流量の測定前に既知の値であるから、流速Ｖは、伝搬時間ｔ12および伝搬時間ｔ21を計測することで、式（３）から算出することができる。
【００３６】
そして、配管Ａの内部を流れる気体の流量Ｑ［ｍ3／ｓ］は、流速Ｖ［ｍ／ｓ］と、補数係数Ｋおよび配管Ａの断面積Ｓ［ｍ3／ｓ］と、を用いて以下の式（４）で表される。
Ｑ＝ＫＶＳ  …（４）
【００３７】
したがって、演算制御部５５は、伝搬経路長Ｌ、角度θ、補数係数Ｋ、および、配管Ａの断面積Ｓを、あらかじめメモリなどに記憶しておく。そして、演算制御部５５は、受信回路部５３から入力される受信信号に基づいて、計時５４により伝搬時間ｔ12および伝搬時間ｔ21を計測することで、式（３）および式（４）から、配管Ａの内部を流れる気体の流量Ｑを算出することができる。
【００３８】
本実施形態では、図３および式（１）ないし式（４）を用いて、伝搬時間逆数差法により気体の流量を算出する例を示したが、これに限定されない。演算制御部５５は、他の方法、例えば、周知の伝搬時間差法により気体の流量を算出するようにしてもよい。
【００３９】
また、本実施形態では、第１超音波送受信部２０Ａおよび第２超音波送受信部２０Ａの一方が送信した超音波が、配管Ａの内部の気体を伝搬し、第１超音波送受信部２０Ａおよび第２超音波送受信部２０Ａの他方で直接受信する例を示したが、これに限定されない。例えば、第１超音波送受信部２０Ａおよび第２超音波送受信部２０Ｂを共に配管Ａの同一側面側に配置し、配管Ａの内壁でＶ字状に１回反射して気体中を伝搬する超音波を計測することとしても良い。また、配管Ａの内壁でｎ回（ｎは自然数）反射した超音波を受信するようにしても良い。
【００４０】
図１に示す超音波吸収体１０は、配管Ａの外周面に設けられる。具体的には、超音波吸収体１０は、配管Ａの外周面において、少なくとも第１超音波送受信部２０Ａと第２超音波送受信部２０Ｂとの間の領域を覆うように配置され、配管Ａの外周面に密着して固定される。第１超音波送受信部２０Ａおよび第２超音波送受信部２０Ｂが配管Ａの外周面に直接接触するように、超音波吸収体１０のうちの第１超音波送受信部２０Ａおよび第２超音波送受信部２０Ｂが配置される部分は、超音波吸収体１０の一部が枠状に切り取られる。超音波吸収体１０は、例えば、主材料として、架橋していないブチルゴム（ＩＩＲ、イソブチレンとイソプレンとの共重合体）を使用することが可能である。
【００４１】
図４は、第１超音波送受信部２０Ａから送信された超音波が第２超音波送受信部２０Ｂに受信される様子を説明するための断面図である。同図の例では、説明の便宜上、超音波吸収体１０が一層で構成された場合を示しているが、後述の実施例の特徴的な構成では超音波吸収体１０は複数層で形成されている。
【００４２】
図４に示すように、例えば、第１超音波送受信部２０Ａから送信された超音波は、配管Ａを通過（透過）して配管Ａの内部の気体を伝搬する気体伝搬波Ｗ1と、配管Ａ内を伝搬する配管伝搬波Ｗ2とに分けられる。気体伝搬波Ｗ1は、再び配管Ａを通過して第２超音波送受信部２０Ｂに到達する。一方、配管伝搬波Ｗ2も、配管Ａの内壁および外壁で複数回反射しながら第２超音波送受信部２０Ｂに到達し得る。図示およびその詳細な説明を省略するが、第１超音波送受信部２０Ａから送信された超音波と同様に、第２超音波送受信部２０Ａから送信された超音波も、気体伝搬波Ｗ1と配管伝搬波Ｗ2とに分けられ、気体伝搬波Ｗ1は配管Ａを通過して第１超音波送受信部２０Ａに到達するとともに、配管伝搬波Ｗ2も配管Ａの内壁および外壁を複数回反射しながら第１超音波送受信部２０Ａに到達し得る。
【００４３】
一般に、一方の媒質を伝搬する音波が、他方の媒質との界面で透過（通過）するか、反射するかは、一方の媒質と他方の媒質との音響インピーダンスの差によって決まる。すなわち、音響インピーダンスの差が小さいほど、一方の媒質を伝搬する音波は他方の媒質に透過し、音響インピーダンスの差が大きいほど、一方の媒質を伝搬する音波は他方の媒質との界面で反射する傾向がある。
【００４４】
配管Ａの内部を流れる流体が、例えば、液体である場合、液体の音響インピーダンスと、配管の材料、例えば、ステンレス（ＳＵＳ）などの金属や合成樹脂などの高分子化合物の音響インピーダンスとの差が相対的に小さいので、超音波は、配管Ａを透過（通過）して内部を流れる液体を伝搬する割合（透過率）が多く（大きく）、つまり、配管Ａの管壁で反射する割合（反射率）が少なく（小さく）、配管伝搬波Ｗ2のエネルギー（の大きさ、または強度）は小さい。これに対し、気体の音響インピーダンスは、液体の音響インピーダンスと比較して小さい。そのため、配管Ａの内部を流れる流体が気体である場合、気体の音響インピーダンスと、配管Ａの音響インピーダンスとの差が相対的に大きくなるので、超音波は、配管Ａを透過（通過）して内部を流れる液体を伝搬する割合（透過率）が少なく（小さく）、つまり、配管Ａの管壁で反射する割合（反射率）が多く（大きく）、配管伝搬波Ｗ2のエネルギー（の大きさ、または強度）は大きい。
【００４５】
ここで、超音波の気体伝搬波Ｗ1を受信して伝搬時間を計測し、当該伝搬時間に基づいて流量を測定する超音波流量計において、気体伝搬波Ｗ1は検出すべき信号（信号成分Ｓ）であり、配管伝搬波Ｗ2は信号に対するノイズ（ノイズ成分Ｎ）である。そのため、気体伝搬波Ｗ1のエネルギー（の大きさ、または強度）に対して配管伝搬波Ｗ2のエネルギー（の大きさ、または強度）が十分に小さくないと、気体伝搬波Ｗ1と配管伝搬波Ｗ2との識別が困難になる。その結果、気体伝搬波Ｗ1と配管伝搬波Ｗ2とを取り違えて伝搬時間の計測を誤り、誤った伝搬時間に基づいて気体の流量を測定してしまう可能性がある。
【００４６】
超音波吸収体１０は、配管Ａの外周に設けられており、配管Ａを伝搬する配管伝搬波Ｗ2を吸収する。また、超音波吸収体１０は、前述したように、未架橋のブチルゴムを含んでいる。ここで、未架橋のブチルゴムは、音響インピーダンスの値が配管Ａの材料と近く、かつ、超音波の周波数帯の振動を吸収する能力（吸収性能）が高い。これにより、超音波吸収体１０は、配管Ａを伝搬する過程で配管伝搬波Ｗ2を減衰させることができ、第１超音波送受信部２０Ａおよび第２超音波送受信部２０Ｂに到達する、つまり、受信される配管伝搬波Ｗ2のエネルギー（の大きさ、または強度）を気体伝搬波Ｗ1のエネルギー（の大きさ、または強度）に対して十分に小さくする、すなわち、ＳＮ比（気体伝搬波Ｗ1の最大振幅値と配管伝搬波Ｗ2の最大振幅値との比）を向上させることができる。
【００４７】
また、未架橋のブチルゴムは、粘着性および弾性を有する粘弾性体でもある。これにより、超音波吸収体１０は粘着しやすいので、配管Ａの外周に密着して固定することができるとともに、超音波吸収体１０は弾性により変形しやすいので、様々な材料、形状、表面状態の配管Ａに容易に設けることができる。
【００４８】
さらに、未架橋のブチルゴムは、超音波流量計１００の使用環境において、例えば、温度や湿度などについて、十分な耐久性（耐環境性）を有することが実験などで確認された。これにより、超音波吸収体１０は、強度や耐環境性を高めるために、硫黄などを用いた架橋（加硫）を行うことなく、未架橋のブチルゴムを利用することができる。
【００４９】
一般に、超音波は、２０［ｋＨｚ］以上の周波数帯の音波を意味する。よって、第１超音波送受信部２０Ａおよび第２超音波送受信部２０Ｂが送信する超音波は、２０［ｋＨｚ］以上の周波数帯の音波である。好ましくは、第１超音波送受信部２０Ａおよび第２超音波送受信部２０Ｂが送信する超音波は、１００［ｋＨｚ］以上であって２．０［ＭＨｚ］以下の周波数帯の超音波である。より好ましくは、第１超音波送受信部２０Ａおよび第２超音波送受信部２０Ｂが送信する超音波は、０．５［ＭＨｚ］以上であって１．０［ＭＨｚ］以下の周波数帯の超音波である。なお、いずれの場合であっても、第１超音波送受信部２０Ａが送信する超音波と第２超音波送受信部２０Ｂが送信する超音波とは、同一周波数であってもよいし、異なる周波数であってもよい。
【００５０】
図５および図６は、図１に示した受信回路部５３が出力する受信信号のグラフである。図５および図６において、横軸は時間であり、縦軸は振幅（電圧）である。また、図５および図６において、上段は配管Ａの内部を流れる気体の圧力が０．５［ＭＰａ］のグラフであり、下段は配管Ａの内部を流れる気体の圧力が０．３［ＭＰａ］のグラフである。さらに、図５は第１超音波送受信部２０Ａおよび第２超音波送受信部２０Ｂが送信する超音波の周波数が０．５［ＭＨｚ］のグラフであり、図６は第１超音波送受信部２０Ａおよび第２超音波送受信部２０Ｂが送信する超音波の周波数が１．０［ＭＨｚ］のグラフである。
【００５１】
図５の上段のグラフに示すように、気体の圧力が０．５［ＭＰａ］であって、第１超音波送受信部２０Ａおよび第２超音波送受信部２０Ｂが送信する超音波の周波数が０．５［ＭＨｚ］である場合に、超音波吸収体１０は配管伝搬波Ｗ2を減衰させることができ、演算制御部５５はグラフの中央付近に発生する相対的に振幅の大きい気体伝搬波Ｗ1を識別して検出することができる。また、図６の上段のグラフに示すように、気体の圧力が０．５［ＭＰａ］であって第１超音波送受信部２０Ａおよび第２超音波送受信部２０Ｂが送信する超音波の周波数が１．０［ＭＨｚ］である場合も同様に、超音波吸収体１０は配管伝搬波Ｗ2を減衰させることができ、演算制御部５５はグラフの中央付近に発生する相対的に振幅の大きい気体伝搬波Ｗ1を識別して検出することができる。
【００５２】
配管Ａの内部を流れる気体の圧力が低い場合、例えば、気体の圧力が０．５［ＭＰａ］より低い場合、気体の音響インピーダンスは圧力に比例するので、配管Ａの音響インピーダンスとの差はさらに大きくなり、気体伝搬波Ｗ1のエネルギー（大きさ、または強度）はさらに小さくなる。しかし、配管Ａの内部を流れる気体の圧力が低い場合、例えば、気体の圧力が０．３［ＭＰａ］の場合であっても、図５および図６の下段のグラフに示すように、超音波吸収体１０は配管伝搬波Ｗ2を減衰させることができ、演算制御部５５はグラフの中央付近に発生する相対的に振幅の大きい気体伝搬波Ｗ1を識別して検出することができる。このように、超音波吸収体１０は、気体伝搬波Ｗ1のエネルギー（の大きさ、または強度）が小さい場合であっても、配管伝搬波Ｗ2を十分に減衰させることができ、ＳＮ比を向上させることができる。経験的にＳＮ比は２以上であることが望ましい。
【００５３】
図７は、他の超音波吸収体を備える超音波流量計の受信信号の参考例（超音波の吸収率が低い場合）である。なお、参考例の超音波流量計は、超音波吸収体１０とは異なる超音波吸収体を備える点を除き、超音波流量計１００と同様とする。図７において、横軸は時間であり、縦軸は振幅（電圧）である。また、図７において、超音波の周波数は０．５［ＭＨｚ］であり、上段は配管の内部を流れる気体の圧力が０．５［ＭＰａ］のグラフであり、下段は配管の内部を流れる気体の圧力が０．３［ＭＰａ］のグラフである。主な材料としてアスファルトを含む他の超音波吸収体を備えた仮想的な超音波流量計は、図５に示した本実施形態の超音波流量計１００のグラフと比較して、図７に示すように、超音波吸収体が配管伝搬波Ｗ2を十分に減衰させることができず、ＳＮ比が低下して配管伝搬波Ｗ2と気体伝搬波Ｗ1とを識別するのが困難になる。
【００５４】
図８は、様々な材料の超音波吸収体のＳＮ比を示す表である。図８において、配管Ａの内部を流れる気体の圧力は０．３［ＭＰａ］であり、第１超音波送受信部２０Ａおよび第２超音波送受信部２０Ｂが送信する超音波の周波数は、０．５［ＭＨｚ］である。図８に示すように、アスファルトを主材とする超音波吸収体を使用した場合、気体伝搬波Ｗ1の最大振幅と配管伝搬波Ｗ2の最大振幅との比（ＳＮ比）は、３．８である。一方、未架橋のブチルゴムを含む超音波吸収体１０を備える場合、ＳＮ比は７．４となって約２倍にまで向上する。
【００５５】
一般に、天然ゴムや合成ゴムなどのゴム類（ゴム組成物）は、振動吸収性能が高いが、図８に示すように、未架橋のブチルゴムはその他のゴム類（ゴム組成物）に比べるとＳＮ比が高いので超音波吸収体１０の主たる材料として具合が良い。
【００５６】
超音波吸収体１０は、未架橋のブチルゴムあるいはゴム類単体のみからなる場合に限定されない。超音波吸収体１０は、未架橋のブチルゴムと混合される所定の混合粒子を含んでいてもよい。これにより、所定の混合粒子として、音響インピーダンスの値が配管Ａの材料と近くなる、および／または、超音波の周波数帯の振動を吸収する能力（吸収性能）を向上させる混合粒子を未架橋のブチルゴムあるいはゴム類と混合することで、超音波吸収体１０はＳＮ比をさらに向上させることができる。
【００５７】
所定の混合粒子としては、例えば、タングステンなどの金属の粒子、フェライトなどの金属化合物の粒子、または、硫酸バリウムなどの無機化合物の粒子などが挙げられる。粒子の形状は球形に限られず、多面体、表面に凹凸があるものなどであっても良い。所望の効果が得られれば良く、特定の形状に限定されるものではない。
【００５８】
図９は、超音波吸収体１０のＳＮ比を示す表である。図９において、配管Ａの内部を流れる気体の圧力は０．３［ＭＰａ］であり、第１超音波送受信部２０Ａおよび第２超音波送受信部２０Ｂが送信する超音波の周波数は、０．５［ＭＨｚ］である。図９に示すように、未架橋のブチルゴムのみを含む超音波吸収体１０を備える場合、前述したように、ＳＮ比は７．４である。一方、超音波吸収体１０が、所定の混合粒子１１として、フェライトを含む場合にはＳＮ比は８．９に、タングステンを含む場合にはＳＮ比は１１．７に、硫酸バリウムを含む場合にはＳＮ比は３４．２である。未架橋のブチルゴムのみを含む超音波吸収体１０と比較して、それぞれＳＮ比がさらに向上する。
【００５９】
図１０は、超音波吸収体の粘弾性と超音波流量計の受信信号におけるＳＮ比との関係を示すグラフである。縦軸はＳＮ比を、横軸は粘弾性（針入度）を表している。超音波吸収体としては、未架橋ブチルゴムを用い、添加剤の調製によって種々の粘弾性を設定した。配管Ａの外周に形成した超音波吸収体の膜厚は２［ｍｍ］、配管Ａ内部の気体の圧力は０．３［ＭＰａ］であり、第１超音波送受信部２０Ａおよび第２超音波送受信部２０Ｂが送信する超音波の周波数は、０．５［ＭＨｚ］である。配管Ａはステンレス鋼サニタリー管（ＪＩＳ Ｇ３４４７、外径１０１．６［ｍｍ］、内径９７．６［ｍｍ］、厚さ２．０［ｍｍ］、通称４Ｓ）、気体流量は０［ｍ／秒］である。超音波吸収体の粘弾性は、便宜的にＪＩＳ２２０７による針入度によって計測した。温度２５℃、超音波吸収体上に荷重１００［ｇ］の試験針を５秒間乗せたときに針入距離を０．１［ｍｍ］を針入度１として示している。針入度（粘弾性）の値が大きいとき粘弾性が大きく（相対的に柔らかい）、針入度（粘弾性）の値が小さいとき粘弾性が小さい（相対的に固い）。
【００６０】
図１０に示すように、針入度１０〜４５位までは針入度が大きいほどＳＮ比が良い傾向があることが判る。概略、針入度１０ではＳＮ比は４、針入度３３でＳＮ比は７．４、針入度４２でＳＮ比１２、針入度４５でＳＮ比は８程度である。なお、針入度６０ではＳＮ比は２程度であるが、ブチルゴムはべとべとした状態で実用的ではないので図１０中には示していない。
そこで、図１１（Ａ）に示すように、粘弾性の大きい未架橋ブチルゴムを超音波吸収体１０として配管Ａの外周に塗布あるいは被覆することで配管伝搬波Ｗ2を効率よく減衰させることができる。また、配管Ａの外周に未架橋ブチルゴムを厚く成膜することで配管伝搬波Ｗ2をより減衰させることができる。
【００６１】
しかしながら、粘弾性の値が大きいと超音波吸収体１０が柔らかいため、また、膜厚が厚いと自重も更に増すため、図１１（Ｂ）に示すように、時間の経過と共に超音波吸収体１０が下方に移動し変形する。超音波吸収体１０が音響インピーダンス調整のために金属粒子等を含む場合には自重が増し、より変形が顕著になる傾向がある。このような結果、長時間が経過すると配管Ａを覆う超音波吸収体１０の膜厚にムラが生じ、膜厚が薄くなった部分では配管伝搬波Ｗ2のエネルギー吸収能力が低下し、ノイズ成分の減衰が不十分となる。これは時間の経過と共に受信信号のＳＮ比が低下することを意味する。
【００６２】
図１２は、本発明の実施例を示している。実施例では、同図に示すように、超音波吸収体１０を２つの層１０ａおよび１０ｂで形成している。第１の層は自己融着性により配管Ａに密着し、第２の層よりも相対的に粘弾性の値が大きい（針入度が大きい）柔らかい層である。例えば、針入度が４０のブチルゴムである。自己融着性は、時間が経つにつれ粘着性のブチルゴムが少しずつ流れて配管表面とブチルゴムとの間にほんの少し生じた空間を埋め尽くす性質である。第２の層は自己融着性によって第１の層に密着する、第１の層よりも相対的に粘弾性の値が小さい（針入度が小さい）固い層である。例えば、針入度が５のブチルゴムである。第１の層よりも固い第２の層で第１の層を囲むことによって柔らかい第１の層の変形が防止される。
【００６３】
更に、配管伝搬波Ｗ2を超音波吸収体１０中に拡散してエネルギーを減少させるために、配管Ａと第１の層１０Ａとの界面、第１の層１０Ａと第２の層１０Ｂとの界面での配管伝搬波Ｗ2の反射の減少を図る。このため、配管Ａ、第１の層１０Ａ、第２の層１０Ｂの各音響インピーダンスが等しくなるようにする。音響インピーダンスＺは、媒質の密度をρ、媒質の音速をＣとすると、Ｚ＝ρ・Ｃとして表される。
【００６４】
実施例では、配管Ａと第１の層１０Ａの音響インピーダンスを等しくするために、第１の層１０Ａに音響インピーダンス調整の粒子を混入する。例えば、粒子径は伝搬音波長よりも小さい値で、第１の層の膜厚の大小に対応して決める。一例を挙げれば粒子径が１５［μｍ］程度である。また、第２の層１０Ｂの音響インピーダンスが第１の層１０Ａの音響インピーダンスと同様になるようにするため、粒子総重量が第１の層１０Ａの粒子総重量と同じによるように調整した粒子を第２の層１０Ｂに混入する。第２の層の粒子は、伝搬音波長よりも小さい粒子径で、第２の層の膜厚の大小に対応して決める。一例を挙げれば粒子径が１５［μｍ］以上の適宜な大きさの粒子である。このように、音響インピーダンスが略同じになるように調整することで第１の層１０Ａから第２の層１０Ｂ内に配管伝搬波Ｗ2が伝搬し散乱減衰してノイズ成分が吸収される。超音波吸収体１０全体としてのノイズ吸収性能が向上する。
【００６５】
図１３は、本発明の他の実施例を示しており、超音波吸収体１０を３つのゴム層１０Ａ〜１０Ｃで構成した例を示している。このような超音波吸収体１０を複数層で構成する例において、最外周のゴム層１０Ｃを内側のゴム層よりも固い材質とすることによって超音波吸収体１０の変形を防止することが可能となる。また、各層に混入する粒子を調整することによって各層の音響インピーダンスを近似させて配管伝搬波Ｗ2の層界面における反射を減少させることが可能である。
【００６６】
以上説明したように、本発明の実施例によれば、ゴム類などのダンピング材のノイズ吸収特性（ＳＮ比）の良い領域が材質的に柔らかいために超音波吸収体としての耐変形性に欠けるときに、形状の崩れない固いゴム類でダンピング材を覆うことによってダンピング材に厚み不均一となる部位が発生することを回避可能となる。
【００６７】
また、固いゴムを小径の配管に巻くのはゴムの反発力によって容易ではないが、実施例では、配管の外周に粘着する第１のゴムは柔らかいので小径の配管であっても第１のゴムを超音波吸収体として設けるのは比較的に容易である。第１のゴムの貼着によって外径が増した配管に第２のより固いゴムを貼着するのは比較的に容易である。また、第２のゴムが自己融着性の材質であれば、更に、第２のゴムの貼着は容易である。
【００６８】
また、複数層のゴムの各音響インピーダンスを近似させることによって超音波流速計の受信信号中のノイズ成分となる配管伝搬波Ｗ2を超音波吸収体中に拡散させ減衰させることができて具合が良い。
【産業上の利用可能性】
【００６９】
本発明は、空気、冷風、温風、蒸気、温水、冷水、各種ガスなどの流体の超音波流量計測に適用して具合が良い。
【符号の説明】
【００７０】
１０…超音波吸収体
１０Ａ…第１のゴム層
１０Ｂ…第２のゴム層
１０Ｃ…第３のゴム層
２０Ａ…第１超音波送受信部
２０Ｂ…第２超音波送受信部
２１…くさび
２１ａ…底面
２１ｂ…斜面
２２…圧電素子
５０…本体部
５１…切替部
５２…送信回路部
５３…受信回路部
５４…計時部
５５…演算制御部
５６…入出力部
１００…超音波流量計
Ａ…配管
Ｗ1…気体伝搬波
Ｗ2…配管伝搬波
【図１】
2015021799.tif 000003
【図２】
2015021799.tif 000004
【図３】
2015021799.tif 000005
【図４】
2015021799.tif 000006
【図５】
2015021799.tif 000007
【図６】
2015021799.tif 000008
【図７】
2015021799.tif 000009
【図８】
2015021799.tif 000010
【図９】
2015021799.tif 000011
【図１０】
2015021799.tif 000012
【図１１】
2015021799.tif 000013
【図１２】
2015021799.tif 000014
【図１３】
2015021799.tif 000015